(57)【特許請求の範囲】
【請求項１】
三方枠の周囲に配置された操作盤と、
前記操作盤に配置された押下式の非常停止ボタンと、
を具えるダムウェーターの保守・点検作業に用いられる治具であって、
前記操作盤に着脱可能な保持フレームと、
前記保持フレームに設けられ、前記保持フレームを前記ダムウェーターに装着したときに、前記非常停止ボタンを押下するよう位置決めされた状態で保持する押下部材と、
を具える、ダムウェーター用保守・点検治具。
【請求項２】
前記押下部材は、前記保持フレームに螺合されたボルトであって、前記ボルトの頭部が前記非常停止ボタンを押下するよう配置され、前記ボルトを回転させることにより、前記頭部の出没調整が可能である、
請求項１に記載のダムウェーター用保守・点検治具。
【請求項３】
前記操作盤は、前記非常停止ボタンの配置されたフェイスプレートを具え、
前記保持フレームを前記フェイスプレートに引っ掛けることで、前記保持フレームは、前記フェイスプレートに装着される、
請求項１又は請求項２に記載のダムウェーター用保守・点検治具。
【発明の詳細な説明】
【技術分野】
【０００１】
本発明は、ダムウェーターの保守・点検作業において、かごの予期せぬ昇降を阻止することのできるダムウェーター用保守・点検治具に関するものである。
【背景技術】
【０００２】
食品や物品などの小荷物を上下階床間で運搬するダムウェーター（小荷物専用昇降機）が知られている。階床には、小荷物の出し入れ口となる三方枠が設けられており、三方枠の周囲には、かごの呼びボタン、戸の開閉ボタン、送り先階床ボタン、非常停止ボタン等を配した操作盤が配備されている（たとえば、特許文献１参照）。
【０００３】
ダムウェーターの保守・点検作業の際に、かごが予期せず昇降することを防ぐため、作業時には、非常停止ボタンを押下しておく必要がある。
【先行技術文献】
【特許文献】
【０００４】
【特許文献１】特開２００６−３６３７３号公報
【発明の開示】
【発明が解決しようとする課題】
【０００５】
非常停止ボタンは、押下状態でかごを停止させるが、手を離すと自動復帰するから、ダムウェーターの保守・点検作業においては、保守・点検作業員の他、階床で非常停止ボタンを押下する作業員の少なくとも２名が必要であった。
【０００６】
そこで、新たに保守・点検時にかごの昇降を停止させる専用のボタンを設置することが考えられるが、既存のダムウェーターを改修するにはコストや手間が掛かる。そこで、既存のダムウェーターにも適用可能な非常停止ボタンの押下状態を保持する治具を発明するに至った。
【０００７】
本発明は、非常停止ボタンの押下状態を保持するダムウェーター用保守・点検治具を提供することにより、非常停止ボタンを押下する作業員を削減でき、安全性の確保及び作業効率の向上を図ることを目的とする。
【課題を解決するための手段】
【０００８】
本発明に係るダムウェーター用保守・点検治具は、
三方枠の周囲に配置された操作盤と、
前記操作盤に配置された押下式の非常停止ボタンと、
を具えるダムウェーターの保守・点検作業に用いられる治具であって、
前記操作盤に着脱可能な保持フレームと、
前記保持フレームに設けられ、前記非常停止ボタンを押下する押下部材と、
を具える。
【０００９】
前記押下部材は、前記保持フレームに螺合されたボルトであって、前記ボルトの頭部が前記非常停止ボタンを押下するよう配置され、前記ボルトを回転させることにより、前記頭部の出没調整が可能である。
【００１０】
前記操作盤は、前記非常停止ボタンの配置されたフェイスプレートを具え、
前記保持フレームを前記フェイスプレートに引っ掛けることで、前記保持フレームは、前記フェイスプレートに装着される。
【発明の効果】
【００１１】
本発明によれば、ダムウェーター用保守・点検治具を操作盤に装着することにより、押下部材が非常停止ボタンを押下し、その押下状態を保持することができる。従って、保守・点検作業の際に、本発明に係るダムウェーター用保守・点検治具を操作盤に装着しておくことで、非常停止ボタンの押下状態を保持することができるから安全性を確保でき、また、非常停止ボタンを押下する作業員を削減できるから作業効率の向上を図ることができる。
【図面の簡単な説明】
【００１２】
【図１】図１は、ダムウェーターの要部外観斜視図である。
【図２】図２は、図１の線Ａ−Ａに沿う非常停止ボタンの断面図である。
【図３】図３は、本発明の一実施形態に係るダムウェーター用保守・点検治具の斜視図である。
【図４】図４は、本発明の一実施形態に係るダムウェーター用保守・点検治具の分解斜視図である。
【図５】図５は、本発明の一実施形態に係るダムウェーター用保守・点検治具を操作盤のフェイスプレートに装着した使用状態を示す断面図である。
【図６】図６は、他の実施形態に係るダムウェーターの要部外観斜視図である。
【図７】図７は、ダムウェーター用保守・点検治具を図６のダムウェーターの操作盤のフェイスプレートに装着した使用状態を示す断面図である。
【発明を実施するための形態】
【００１３】
以下、図面を参照して本発明の一実施形態に係るダムウェーター用保守・点検治具について説明を行なう。
【００１４】
本発明は、ダムウェーター１０の非常停止ボタン２４を押下状態に維持することのできるダムウェーター用保守・点検治具３０（以下「保守・点検治具」と称する）に関するものである。
【００１５】
ダムウェーター１０は、建物に形成された昇降路にかごを昇降させ、図１に示すように階床に形成された三方枠１１から、出し入れ口１２を通じて荷物の出し入れを行なうものである。出し入れ口１２は、上下に開閉する戸１３，１３が設けられている。
【００１６】
三方枠１１には、図１に示すように、操作盤２０が配置されている。図示の実施形態では、出し入れ口１２の右側に操作盤２０を配置しているが、操作盤２０の位置は出し入れ口１２の左側や上側（図６参照）等であってもよい。
【００１７】
操作盤２０は、化粧パネルとなる金属製のフェイスプレート２１が、三方枠１１にビス２５，２５止めされており、フェイスプレート２１に形成された孔２２（図２参照）から、かごの呼びボタン、戸の開閉ボタン、送り先階床ボタン等の操作ボタン２３と、非常停止ボタン２４が僅かに突出するよう設置されている。これらボタン２３，２４は、ダムウェーター１０の制御盤に信号を送信し、ダムウェーター１０のかご等の制御が行なわれる。
【００１８】
非常停止ボタン２４は、図２に示すように、押下式であって、押し込み方向（図２の矢印Ｂ）に対し、非押下時には、図示省略するバネ等の付勢手段によって操作盤２０から突出するよう付勢されている。
【００１９】
非常停止ボタン２４は、押下操作によって、かごを昇降するモーターへの給電が遮断し、かごが停止した状態を維持するボタンである。すなわち、保守・点検作業において、非常停止ボタン２４を押下で保持することにより、かごの予期せぬ昇降を阻止することができる。
【００２０】
図３は、本発明の一実施形態に係る保守・点検治具３０の斜視図、図４は分解斜視図、図５は、保守・点検治具３０の使用状態を示す図である。図に示すように、保守・点検治具３０は、金属製の保持フレーム４０に、非常停止ボタン２４を押下する押下部材５０を装着して構成され、図１のαに示す位置に取り付けられる。
【００２１】
保持フレーム４０は、コ字状に屈曲しており、対向する面４１，４３の内、押下部材５０が装着される装着面４１は、長く形成されている。そして、装着面４１には、押下部材５０となるボルト５１の軸部５４が貫通する調整孔４２が形成されている。調整孔４２は、軸部５４が余裕をもって嵌まる幅を有すると共に、非常停止ボタン２４の位置に応じて押下部材５０を位置調整できるように、長さを長く形成している。
【００２２】
他方の面４３は、短く突出しており、フェイスプレート２１の端縁に引っ掛けることで、保持フレーム４０をフェイスプレート２１に装着する爪片４４を構成する。爪片４４は、図５に示すように、フェイスプレート２１を三方枠１１に装着するビス２５，２５を僅かに緩めて、三方枠１１とフェイスプレート２１との間に形成された隙間Ｓに挿入することで、保持フレーム４０をダムウェーター１０に固定する。
【００２３】
上記した面４１，４３どうしは、繋ぎ面４５によって連繋されている。繋ぎ面４５は、押下部材５０が非常停止ボタン２４を押下可能な長さとなるように形成する。
【００２４】
上記保持フレーム４０には、押下部材５０が装着される。押下部材５０は、たとえばボルト５１とボルト５１を保持フレーム４０に固定する内ナット５５、蝶ナット５６から構成することができる。ボルト５１の頭部５２は、非常停止ボタン２４を押下するように配置され、ゴム等を焼き付けてモールドした滑り止め部材５３が取り付けられている。
【００２５】
ボルト５１は、軸部５４が上記した調整孔４２に嵌まっており、調整孔４２を挟んで内側に内ナット５５、外側に蝶ナット５６が螺合している。内ナット５５と蝶ナット５６を回転することで、ボルト５１の頭部５２の突出度合いを調整可能となっている。なお、内ナット５５と保持フレーム４０、蝶ナット５６と保持フレーム４０との間には夫々必要に応じてワッシャ５７、ゴムワッシャ５８を嵌装することができる。図示では、蝶ナットと保持フレーム４０との間にワッシャ５７及びゴムワッシャ５８を嵌装している。
【００２６】
上記構成の保守・点検治具３０は、図１のαに示す位置に取り付けられる。より詳細には、図５に示すように、フェイスプレート２１を三方枠１１に装着するビス２５，２５を僅かに緩めて、三方枠１１とフェイスプレート２１との間に形成された隙間Ｓに爪片４４を差し込んで引っ掛ける。そして、押下部材５０の頭部５２が、非常停止ボタン２４を押下状態で保持できるように位置決めすればよい。
【００２７】
押下部材５０は、予め非常停止ボタン２４の位置及び押下量に合わせて、調整孔４２に対する位置決めと頭部５２の突出量の調整を行ない、内ナット５５と蝶ナット５６でボルト５１を保持フレーム４０に固定しておくことで、装着をスムーズに行なうことができる。
【００２８】
保守・点検治具３０をダムウェーター１０に装着することで、非常停止ボタン２４は、図５中矢印Ｃで示すように押下された状態を保持できるから、かごが予期せず昇降することはなく、作業の安全性を高めることができる。また、非常停止ボタン２４を押下するための作業員を削減できるから、作業効率の向上を図ることができる。
【００２９】
とくに、本発明の保守・点検治具３０は、ダムウェーター１０に新たな装置の追加や改修等を行なうことなく、既存のダムウェーター１０に適用することができる利点がある。
【００３０】
保守・点検治具３０を取り外すには、内ナット５５と蝶ナット５６を緩め、ボルト５１の頭部５２を後退させればよい。これにより、保持フレーム４０が傾くから、爪片４４をフェイスプレート２１から引き抜くことができる。そして、緩めていたビス２５，２５を締め直し、フェイスプレート２１を三方枠１１に再度固定すればよい。
【００３１】
図６は、操作盤２０を出し入れ口１２の上側に配置したダムウェーター１０の一例、また、図７は、図６のβの位置に取り付けられた保守・点検治具３０の断面図である。各図において、上記実施形態と同じ符号は同じ部材であり、その詳細な説明を省略する。
【００３２】
図６に示すダムウェーター１０では、操作盤２０のフェイスプレート２１は、横長に設けられている。この場合、保守・点検治具３０は、図７に示すように、三方枠１１とフェイスプレート２１との間に形成された隙間Ｓに爪片４４を上側から差し込んで引っ掛けることが望ましい。爪片４４を上側から差し込むことで、保守・点検治具３０の装着及び取り外し時に、蝶ナット５６を緩めても、爪片４４がフェイスプレート２１に引っ掛かっているから、治具３０が落下してしまうことを防止できる利点がある。
【００３３】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３４】
たとえば、上記実施形態では、保持フレーム４０は、コ字状のプレートであったが、形状はこれに限定されるものではない。また、上記実施形態では、保持フレームは１枚であるが、２枚の保持フレームを調整孔４２が重なるように伸縮可能に形成して、フェイスプレート２１の両縁に爪片が引っ掛かるようにしてもよい。また、このような保持フレームを十字状に交差させる構成としてもよい。
【００３５】
さらに、押下部材５０は、非常停止ボタン２４と当たる頭部５２に感圧センサーを配置し、感圧センサーの感知した圧力が所定の閾値以下となったときに、音や光、或いは無線通信等により作業者に通報するよう構成することもできる。これにより、万一保守・点検治具３０が外れてしまったときでも、作業者に通報されるから、安全に保守・点検作業を行なうことができる。
【００３６】
また、上記実施形態では、フェイスプレート２１のビス２５を緩めて三方枠１１とフェイスプレート２１との間に隙間Ｓを形成しているが、フェイスプレート２１を捲るようにしてもよい。
【符号の説明】
【００３７】
１０  ダムウェーター
２０  操作盤
２１  フェイスプレート
２４  非常停止ボタン
３０  ダムウェーター用保守・点検治具
４０  保持フレーム
５０  押下部材
５１  ボルト
【図１】
0006451574.tif 000002
【図２】
0006451574.tif 000003
【図３】
0006451574.tif 000004
【図４】
0006451574.tif 000005
【図５】
0006451574.tif 000006
【図６】
0006451574.tif 000007
【図７】
0006451574.tif 000008